(57)【要約】【課題】  湖沼等の遮光部材の上面側の広い面積を有効に活用し、その上面側に発光体を任意の形状パターンで配置して湖沼等の水面上にあたかも蛍が飛翔しているかのような印象を与え、癒しの空間を演出できる発光機能を有する遮光部材を提供すること。【解決手段】  湖沼等１の水面２に浮上させて設置した遮光部材３の上面側に、予め設定した時間帯に発光する点状又は面状の発光体の一乃至複数を任意のパターンで配置したこと。【選択図】図１
0003103085.tif 000002
【実用新案登録請求の範囲】
【請求項１】
湖沼等の水面に浮上させて設置した遮光部材の上面側に、点状又は面状の発光体の一乃至複数を任意のパターンで配置したことを特徴とする発光機能を有する遮光部材。
【請求項２】
発光体は、予め設定した時間帯に発光するようにした請求項１の発光機能を有する遮光部材。
【請求項３】
遮光部材の上面に太陽光発電パネルを設置し、該発電パネルにより発電し電池等に蓄電した電力により発光体を点灯又は点滅させる請求項１又は２の発光機能を有する遮光部材。
【請求項４】
遮光部材に光感知センサーを設け、該センサーにより夕刻から夜半にかけての時間帯を検出すると共にその検出結果に基づき前記時間帯に発光体を点灯又は点滅させる請求項１〜３のいずれかの発光機能を有する遮光部材。
【請求項５】
複数個の発光体の点灯，消灯を個々に制御することにより、所望の文字、記号、マーク、或は、キャラクター、広告文などを遮光部材の上面側に表示するようにした請求項１〜４のいずれかの発光機能を有する遮光部材。
【請求項６】
遮光部材は、プラスチックなどにより適宜平面形状に形成した浮力性の遮光部材の適宜数個を、個別に、或は、互いに緩く接続するか、又は、枠部材の中に収めてなるものである請求項１〜５のいずれかの発光機能を有する遮光部材。
【請求項７】
発光体は、遮光部材の上方に適宜の支持部材を介して配置した請求項１〜６のいずれかの発光機能を有する遮光部材。
【考案の詳細な説明】
【技術分野】
【０００１】
本考案は、湖沼等の水面に浮上させて設置してある遮光部材の上面側に、発光体を任意のパターンで配置しこれら発光体を夕刻から夜半にかけての適宜時間帯に蛍のように点灯又は点滅させるようにした発光機能を有する遮光部材（以下、湖蛍ともいう）に関する。
【背景技術】
【０００２】
近時、公園やゴルフ場などに設けられている公共的な池や緩速濾過池，浄水場や農業用の溜池，プール，湖沼，或は、ダム貯水湖等（以下、湖沼等という）においては、アオコなどの発生や増殖による水の汚染が問題となっている。
【０００３】
アオコなどの発生，増殖を抑制するための技術は、従来、種々提案されているが、湖沼等の水面に適宜大きさの遮光部材を浮上させて設置するのが効果的といわれており、本出願の出願人らによってもそのための方法や装置、遮光部材が提案され特許出願されている。
【０００４】
例えば、特許文献１（特開平１１−１２８９６３号公報）には、湖沼等の水質改善方法とこれに用いる水質改善用遮光部材に係る発明が提案されている。この特許文献１に係る発明は、遮光部材を使用した水質改善方法についての基本的発明であり、水質改善用遮光部材として、適宜大きさの網状部材の周縁等に浮体を取付けると共にその下部に着底用重錘を装着した適宜数の索体を取付け、上記網状部材の上面に光を遮蔽する光遮蔽部材を取付けて成るものを用い、適宜この遮光部材を人工浮草状に形成したりして使用している。
【０００５】
また、特許文献２（特開２０００−２６３０３４号公報）には、遮光部材として、プラスチック，木などの浮力性材料により適宜平面形状に形成した浮力性のものを使用し、それら遮光部材の適宜数個を、個別に、或は、互いに緩く接続するか、又は、枠部材の中に収めて所要の遮光率が得られる面積に形成し、湖沼等の水面に浮上させて水面を部分的に遮光するようにした湖沼等の藻類の減少又はその増殖を抑制する方法と装置についての発明が提案されている。更に、特許文献３（特開２００１−７０９２８号公報）には、ポリエチレンテレフタレート製のボトルの適宜数個を、横倒しにした状態で横方向に並列させると共にその口部及び底部辺を紐等の索体により緊締固定して浮体を形成し、この浮体の適宜数個をボトルの長さ方向に並列させ、全体を一体的に固定して形成した遮光部材についての発明が提案されている。
【０００６】
上記提案に係る遮光部材を用いた水質改善方法とその装置は、湖沼等におけるアオコの発生や増殖の抑制にきわめて優れた効果を発揮する。
【０００７】
しかしながら、遮光部材が上記の効果を発揮するのは昼の間でしかなく、夜間は有効利用されていなかった。
【特許文献１】特開平１１−１２８９６３号公報
【特許文献２】特開２０００−２６３０３４号公報
【特許文献３】特開２００１−７０９２８号公報
【考案の開示】
【考案が解決しようとする課題】
【０００８】
本考案は、遮光部材を夜間にも有効利用するため、上記の優れた効果に加え、遮光部材の上面側の広い面積を有効に活用し、その上面側に発光体を任意の形状パターンで配置して湖沼等の水面上にあたかも蛍が飛翔しているかのような印象を与え、癒しの空間を演出できる発光機能を有する遮光部材を提供することを、その課題とするものである。
【課題を解決するための手段】
【０００９】
上記課題を解決することを目的としてなされた本考案の構成は、湖沼等の水面に浮上させて設置した遮光部材の上面側に、点状又は面状の発光体の一乃至複数を任意のパターンで配置したことを特徴とするものである。
【００１０】
上記構成において、発光体は、予め設定した時間帯に発光するようにすることができる。また、遮光部材の上面に太陽光発電パネルを設置し、該発電パネルにより発電し電池等に蓄電した電力により発光体を点灯又は点滅させるのが好ましい。更に、遮光部材に光感知センサーを設け、該センサーにより夕刻から夜半にかけての時間帯を検出すると共にその検出結果に基づき前記時間帯に発光体を点灯又は点滅させるようにしてもよい。更には、複数個の発光体の点灯，消灯を個々に制御することにより、所望の文字、記号、マーク、或は、キャラクター、広告文などを遮光部材の上面側に表示するようにすることもできる。また、遮光部材は、プラスチックなどにより適宜平面形状に形成した浮力性の遮光部材の適宜数個を、個別に、或は、互いに緩く接続するか、又は、枠部材の中に収めてなるものを用いることができる。更に、発光体は、遮光部材の上方に適宜の支持部材を介して配置してもよい。
【考案の効果】
【００１１】
本考案は以上の通りであって、本考案によれば、湖沼等の水面に浮上させて設置してある遮光部材の上面側の広い面積を有効活用し、その上面側に配置した発光体を夕刻から夜半の時間帯にかけてあたかも蛍が飛翔しているかのように発光させ、そこに癒しの空間を演出することができるという効果が得られる。
【００１２】
また、本考案によれば、遮光部材の上面側に発光体により任意のパターン、例えば、任意の文字や幾何学的形状、池を管理する各自治体の市章や市民に親しまれている紋様、或は、広告用の文章や各種キャラクターなどを表示させることができるので、親近感が得られるという効果がある。
【考案を実施するための最良の形態】
【００１３】
次に、本考案の実施の形態例を図に拠り説明する。図１は湖沼等の水面に浮上させて配置した遮光部材に適用した湖蛍の一例の平面図、図２は本考案遮光部材に組込まれる装置の一例のブロック図、図３は湖沼等の水面に浮上させて配置した遮光部材に適用した湖蛍の他の一例の平面図、図４は同じく湖蛍の別例の平面図、図５は同じく湖蛍の他の別の一例の平面図、図６は発光体を隣合う遮光部材に亘って設けた湖蛍の一例の平面図である。
【実施例１】
【００１４】
図において、１は、アオコなどの発生，増殖を抑制するための湖沼等で、ここでは湖に適用している。２は、この湖沼等１の水面、３は、水面２に浮上させて設置した遮光部材で、ここでは平面形状が八角形のものを使用しているが、円形，楕円形，三角形，四角形，五角形，六角形，七角形のように任意の形状のものを使用することができる。
【００１５】
４は、発光体で、図１に示したものにおいては、各遮光部材３の周縁に沿ってその上面に複数個の発光体４を一定の間隔をあけて配置してある。従って、夕刻から夜間にかけてこれらの発光体４が点灯すると、湖沼等１の水面２に各遮光部材３の輪郭が浮き上がったように表れるため、美しく神秘的な印象を与えることができる。なお、発光体４には、小型のランプやＬＥＤ、エレクトロルミネッセンス、ソーラ発光体など適宜選択して使用することができ、また、発光する色も赤，緑，青，黄のように任意に変更、選択することができるので、一段と美しく見えることとなる。
【００１６】
５は、太陽光発電パネルで、図１〜図６に示したものは、各図において平面形状がそれぞれ異なっているが、機能は同じである。６は、太陽光発電パネル５で発電した電力を蓄電しておくための電池（二次電池）である。また、電池には一次電池を使用することもでき、一次電池と二次電池を併用して使用することもできる。なお、電池６からの電力を一旦、コンデンサーに蓄え、その蓄えた電力により発光体４を発光させる構成にしてもよい（図示せず）。更に、遮光部材３に小型の発電機を組込んでおき、その発電機を作動させて得られた電力を電池６に蓄えておくこともでき、また、遮光部材３の外部、例えば、湖沼等１の護岸側から電灯線により電力を電池６又は発光体４に直接供給することもできる（ともに図示せず）。
【００１７】
７は、光感知センサーで、湖沼等１の周辺の光量を検出し、その検出信号を中央演算処理部８に入力することにより、およその時間帯を判別することができる。この検出結果に基づき発光体４の発光時間を制御するが、制御内容は、例えば、周辺が薄暗くなる夕刻から朝方の明るくなるまでとか、夕刻から22時までの時間帯に限り発光させるとかのように制御することもできる。また、光感知センサー７を使用しないでタイマーＴにより任意の時間帯に発光させるように制御することもできる。
【００１８】
９は、中央演算処理部８に接続させた制御器で、中央演算処理部８による処理内容を設定，変更するためのものである。この制御器９によりコントロール部10を経て、個々の発光体４の発光内容（点灯，点滅，消灯、色、光の強弱など）を設定することができる。
【実施例２】
【００１９】
次に、図３〜図６に例示した本考案の湖蛍（発光機能を有する遮光部材）について説明すると、図３に示したものは、各遮光部材３の上面に複数個の発光体４を平行に直線状に配置し、これらの発光体４をすべて同時に発光させたり、ランダムにいずれかの発光体４を発光させたりすることができるようにしてある。当然、発光色も制御できるようにしてある。従って、図３に示した湖蛍は、あたかも蛍が水面２上に乱舞しているかのように見えるので、癒しの空間をそこに演出することができる。なお、遮光部材３の上面に、発光体４を図３に示したものより更に多く並べて配置し、それらの発光体４の点灯と消灯を個々に制御することにより、各遮光部材３の上面に任意の文字や記号、マークなどを表示することができる。
【実施例３】
【００２０】
図４に示したものは、図１に示した湖蛍の構成に加え、各遮光部材３の上面中央部に星形や十字の形状、猫などのキャラクター、飛行機などの乗物の形状を表示したもので、各形状の輪郭線に沿って複数の発光体４を一定間隔で並べて配置してある（図示せず）が、これら発光体４の代わりに星形などに形成した面状の発光体を配置してもよい。なお、各遮光部材３の上面に表示する形状はこれらに限られず、任意の幾何学的形状、池や湖を管理する各自治体の市章や市民に親しまれている紋様などを表示することができる。
【実施例４】
【００２１】
図５に示したものは、各遮光部材３の上面の周縁に沿って太陽光発電パネル５を取付けると共に、中央部にパラソル状に面状発光体11を設けた構成の湖蛍の一例である。図５に示した湖蛍の面状発光体11の発光色は任意に選択でき、それらの発光色を順次に変更するように設定すれば、水面上にあたかも異空間が形成されているかのような印象を与えることができる。
【実施例５】
【００２２】
次に、図６に示したものは、隣合う遮光部材３間に亘って、複数の発光体４を格子状に配置した発光板12を適宜の支持部材（図示せず）により遮光部材３の上方に取付けた構成の湖蛍で、この発光板12に電光掲示板のように広告用の文章や案内用の文章を表示すれば、きわめて効果的である。なお、発光板12を湖沼等１の護岸に沿って設けられている道に向けて傾けて取付ければ、表示効果をより一層高めることができる。
【産業上の利用可能性】
【００２３】
本考案は、以上の通りであり、本考案の発光機能を有する遮光部材は、夕刻から夜半の時間帯にかけてあたかも蛍が飛翔しているかのように発光体を発光させ、そこに癒しの空間を演出することができる。
【００２４】
また、本考案によれば、遮光部材の上面側に発光体により任意のパターン、例えば、任意の文字や幾何学的形状、池を管理する各自治体の市章や市民に親しまれている紋様、或は、広告用の文章や各種キャラクターなどを表示させることができるので、遮光部材の上面側を有効利用できる。
【図面の簡単な説明】
【００２５】
【図１】湖沼等の水面に浮上させて配置した遮光部材に適用した湖蛍の一例の平面図である。
【図２】本考案遮光部材に組込まれる装置の一例のブロック図である。
【図３】湖沼等の水面に浮上させて配置した遮光部材に適用した湖蛍の他の一例の平面図である。
【図４】湖沼等の水面に浮上させて配置した遮光部材に適用した湖蛍の別例の平面図である。
【図５】湖沼等の水面に浮上させて配置した遮光部材に適用した湖蛍の他の別の一例の平面図である。
【図６】発光体を隣合う遮光部材に亘って設けた湖蛍の一例の平面図である。
【符号の説明】
【００２６】
１        湖沼等
２        水面
３        遮光部材
４        発光体
５        太陽光発電パネル
６        電池
７        光感知センサー
８        中央演算処理部
９        制御器
10        コントロール部
11        面状発光体
12        発光板
Ｔ        タイマー
【図１】
0003103085.tif 000003
【図２】
0003103085.tif 000004
【図３】
0003103085.tif 000005
【図４】
0003103085.tif 000006
【図５】
0003103085.tif 000007
【図６】
0003103085.tif 000008